(57)【要約】  【課題】  シール用パッキンのスイッチ操作部及びケースへの取付けを確実なものにすることができて、このシール用パッキンによるシ−ル性及びシール用パッキンの寿命を向上させると共に、押釦スイッチの長期の使用が可能にする。  【解決手段】  シール用パッキン２４の内周側取付基部２６をプランジャ側パッキン嵌合部１７と押釦側パッキン嵌合部２２で挟持し、また、シール用パッキン２４の外周側取付基部２７をケース側パッキン嵌合部１０に嵌め込んだ状態で、パッキン押え部材係合部９にパッキン押え部材２５を係合して、このパッキン押え部材２５で外周側取付基部２７をケース側パッキン嵌合部１０に押し込み係止して、シール用パッキン２４のスイッチ操作部１１及びケース３への取付けを確実なものにする。【選択図】  図２
2005347067.tif 000002
【特許請求の範囲】
【請求項１】
スイッチ部と、このスイッチ部を支持したケースと、このケース内に組み込まれたスイッチ操作部と、前記ケースと前記スイッチ操作部との間に跨って設けられたシール用パッキンとを備えた押釦スイッチであって、
前記スイッチ操作部は、このスイッチ操作部の操作により前記スイッチ部の接点開閉を行う操作プランジャと、この操作プランジャに固着される押釦部とを有していて、前記操作プランジャの外周部にはプランジャ側パッキン嵌合部が、前記押釦部の内周部には押釦側パッキン嵌合部がそれぞれ形成してあり、前記ケースにはケース側パッキン嵌合部とパッキン押え部材係合部とが形成してあり、前記シール用パッキンの内周部には内周側取付基部が、外周部には外周側取付基部がそれぞれ形成してあり、
前記内周側取付基部を前記プランジャ側パッキン嵌合部と前記押釦側パッキン嵌合部とで挟持すると共に、前記外周側取付基部を前記ケース側パッキン嵌合部に嵌め込んだ状態で、前記パッキン押え部材係合部にパッキン押え部材を係合して、このパッキン押え部材で前記外周側取付基部を前記ケース側パッキン嵌合部に押し込み係止するようにしたことを特徴とする押釦スイッチ。
【請求項２】
前記パッキン押え部材はリング形状であって、その外周縁部には多数のエッジ部が形成してあり、前記パッキン押え部材係合部は、その外周部に周壁部を有していて、この周壁部に前記エッジ部を食い込ませることで前記パッキン押え部材を前記パッキン押え部材係合部に係合するようにしたことを特徴とする請求項１に記載の押釦スイッチ。
【請求項３】
前記パッキン押え部材係合部は台座部を有していて、この台座部の頂部は、前記ケースの中心側に向って傾斜する円錐面にしてあり、前記ケース側パッキン嵌合部は、前記台座部の内周面部に連なる周面部と、前記頂部とは逆傾斜の円錐面部とで形成されるＶ型溝部で構成してあり、前記パッキン押え部材は、前記頂部の傾斜方向と同じ方向に傾斜する截頭円錐形状であって、前記パッキン押え部材を前記頂部に当接させた状態で、このパッキン押え部材で前記外周側取付基部を前記ケース側パッキン嵌合部に押し込み係止するようにしたことを特徴とする請求項２に記載の押釦スイッチ。
【請求項４】
前記押釦部は、前記操作プランジャに連結され且つ前記スイッチ部が有する照光灯からの光を反射する反射プランジャと、この反射プランジャに保持され且つ前記光を拡散する拡散プレートと、この拡散プレートに着脱可能に設けられた彫刻プレートと、この彫刻プレートを覆うようにして前記反射プランジャに被せられたキャップとで構成してあることを特徴とする請求項１乃至請求項３のいずれかの一に記載の押釦スイッチ。
【発明の詳細な説明】
【技術分野】
【０００１】
本発明は、制御ボックス等の操作パネルに取付けて使用される照光式押釦スイッチ等として好適な、防塵、防水性能を有する押釦スイッチに関する。
【背景技術】
【０００２】
一般に、照光式押釦スイッチにおける押釦部３０は、図５に示すように、反射プランジャ３１と、拡散プレート３２と、彫刻プレート３３と、キャップ３４とで構成してあって、反射プランジャ３１の保持部３５に拡散プレート３２を載せ、拡散プレート３２に彫刻プレート３３を着脱可能に嵌めて、保持部３５に彫刻プレート３３を覆うようにしてキャップ３４を被せて組立ててある。
【０００３】
照光式押釦スイッチを客先に納品した場合、彫刻プレート３３に名称等を記載する必要がある。この場合、キャップ３４を保持部３５から外し、彫刻プレート３３に名称等を記載した後に、この彫刻プレート３３を、再び拡散プレート３２に載せ、キャップ３４を保持部３５に嵌めて彫刻プレート３３を覆うようにする。このように、キャップ３４を保持部３５に対して着脱するために、キャップ３４とケース３６の押釦収容部３７との間には隙間Ｓを形成せざるを得ない。したがって、この隙間Ｓから塵埃や水が入り込んで押釦部３０を保持する操作プランジャ３８の移動に影響を及ぼし、また、スイッチ部３９にも影響を及ぼす。
【０００４】
このために、従来の照光式押釦スイッチでは、シール部材４０を操作プランジャ３８の外周部に装着して、このシール部材４０のリップ部４１をケース３６の内周面部に摺動させることで、隙間Ｓから入り込んだ粉塵や水のスイッチ部３９側への侵入を防ぐようにしていた。
【０００５】
すなわち、操作プランジャ３８の外周部には凹溝部からなるシール部材嵌合部４２が形成してあり、また、反射プランジャ３１の筒形状の嵌合部４３の端部には円錐面部４４が形成してあり、シール部材嵌合部４２にシール部材４０の基部４０Ａを嵌合して操作プランジャ３８に反射プランジャ３１を嵌合した際に、嵌合部４３の円錐面部４４でシール部材４０の基部４０Ａを押えるようにしてシール部材４０は操作プランジャ３８の外周部に装着してある。
【０００６】
そして、押釦部３０を押し込み操作プランジャ３８を介してスイッチ部３９の接点開閉操作を行うのであるが、この場合に、操作プランジャ３８がシール部材４０のリップ部４１をケース３６の内周面部に摺動させることによって、隙間Ｓから入り込んだ粉塵や水のスイッチ部３９側への侵入を防ぐようにしてある。
【０００７】
しかし、シール部材４０のリップ部４１をケース３６の内周面部に摺動させる構成であるために、厳しい環境下で長期に使用したような場合、シール部材４０のリップ部４１とケース３６の内周面部との間に粉塵が入り込んでリップ部４１の防塵防水機能に影響を及ぼすこともある。
【０００８】
かかる点を改善するために、最近では、図６に示すように、シール部材としてダイヤフラムパッキンで構成されたシール用パッキン４２を用いて、このシール用パッキン４２をケース４５と操作プランジャ４７との間に跨らせて、その内、外周部をそれぞれケース４５および操作プランジャ４７に固定するようにした照光式押釦スイッチがある。
【０００９】
すなわち、図７に示すように、シール用パッキン４２は、パッキン本体４２Ａの外周部に外周取付基部４３を、内周部に内周部取付基部４４をそれぞれ有している。また、ケース４５の内周側にはケース側嵌合部４６が設けてあり、操作プランジャ４７の外周部にはプランジャ側嵌合部４８が設けてある。そして、このプランジャ側嵌合部４８に内周取付基部４４を嵌合し、外周取付基部４３をケース側嵌合部４６に嵌合することで、シール用パッキン４２をケース４５と操作プランジャ４７との間に跨らせた状態でケース４５と操作プランジャ４７とに取付けてある（特許文献１参照）。
【特許文献１】特開平０７−２８２６８０号公報
【発明の開示】
【発明が解決しようとする課題】
【００１０】
しかしながら、特許文献１に開示された照光式押釦スイッチにあっては、シール用パッキン４２の内周取付基部４４をプランジャ側嵌合部４８に嵌合することで、シール用パッキン４２の内周側が操作プランジャ４７に取付けている一方、シール用パッキン４２の外周取付基部４３をケース側嵌合部４６に嵌合すると共にケース側嵌合部４６の一部を切り起して加締めることによって、シール用パッキン４２の外周側がケース４５に取付けてあるために、シール用パッキン４２の外周側は、ケース４５に対して間欠的に取着することになって、全周に渡って均等にケース４５に押圧されず、撓んだままケース４５に装着される部分ができてしまい、シール用パッキン４２によるシ−ル性及びシール用パッキンの寿命に影響を及ぼす場合もあった。
【００１１】
本発明はかかる従来のかかる点を改善するためになされたものであって、その目的とするところは、シール用パッキンのスイッチ操作部及びケースへの取付けを確実なものにすることができて、このシール用パッキンによるシ−ル性及びシール用パッキンの寿命を向上させると共に、長期の使用が可能になる押釦スイッチを提供することである。
【課題を解決するための手段】
【００１２】
上記の目的を達成するために、本発明に係る押釦スイッチは、スイッチ部と、このスイッチ部を支持したケースと、このケース内に組み込まれたスイッチ操作部と、ケースとスイッチ操作部との間に跨って設けられたシール用パッキンとを備えた押釦スイッチであって、スイッチ操作部は、このスイッチ操作部の操作によりスイッチ部の接点開閉を行う操作プランジャと、この操作プランジャに固着される押釦部とを有していて、操作プランジャの外周部にはプランジャ側パッキン嵌合部が、押釦部の内周部には押釦側パッキン嵌合部がそれぞれ形成してあり、ケースにはケース側パッキン嵌合部とパッキン押え部材係合部とが形成してあり、シール用パッキンの内周部には内周側取付基部が、外周部には外周側取付基部がそれぞれ形成してあり、内周側取付基部をプランジャ側パッキン嵌合部と押釦側パッキン嵌合部とで挟持すると共に、外周側取付基部をケース側パッキン嵌合部に嵌め込んだ状態で、パッキン押え部材係合部にパッキン押え部材を係合して、このパッキン押え部材で外周側取付基部をケース側パッキン嵌合部に押し込み係止するようにしたことを特徴とするものである。
【００１３】
かかる構成により、シール用パッキンの内周側取付基部をプランジャ側パッキン嵌合部と押釦側パッキン嵌合部で挟持し、また、外周側取付基部をケース側パッキン嵌合部に嵌め込んだ状態で、パッキン押え部材係合部にパッキン押え部材を係合して、このパッキン押え部材で外周側取付基部をケース側パッキン嵌合部に押し込み係止したことにより、シール用パッキンのスイッチ操作部及びケースへの取付けを確実なものにすることができるために、このシール用パッキンによるシ−ル性及びシール用パッキンの寿命を向上させると共に、押釦スイッチの長期の使用が可能になる。
【００１４】
ここで、シール用パッキンとは、例えば、ダイヤフラムパッキンが該当し、プランジャ側パッキン嵌合部とは、例えば、操作プランジャの外周部に形成された凹溝部が該当し、押釦側パッキン嵌合部とは、例えば、押釦部の構成要素である反射プランジャの内周部と操作プランジャの外周部とにより押し潰すようにして挟持することによって構成している。
【００１５】
また、本発明に係る押釦スイッチは、上記した本発明に係る押釦スイッチにおいて、パッキン押え部材はリング形状であって、その外周縁部には多数のエッジ部が形成してあり、パッキン押え部材係合部は、その外周部に周壁部を有していて、この周壁部にエッジ部を食い込ませることでパッキン押え部材をパッキン押え部材係合部に係合するようにしたことを特徴とするものである。
【００１６】
かかる構成により、パッキン押え部材は、その外周縁部の多数のエッジ部を周壁部に食い込ませることでパッキン押え部材をパッキン押え部材係合部に係合させることができて、パッキン押え部材による外周側取付基部のケース側パッキン嵌合部への押し込み係止をほぼ全周に渡って均等に且つ確実にすることができる。
【００１７】
ここで、パッキン押え部材とは、例えば、外周縁部が多角形にしてあって、多数のエッジ部を形成した金属製のリングが該当する。
【００１８】
また、本発明に係る押釦スイッチは、上記した本発明に係る押釦スイッチにおいて、パッキン押え部材係合部は台座部を有していて、この台座部の頂部は、ケースの中心側に向って傾斜する円錐面にしてあり、ケース側パッキン嵌合部は、台座部の内周面部に連なる周面部と、頂部とは逆傾斜の円錐面部とで形成されるＶ型溝部で構成してあり、パッキン押え部材は、頂部の傾斜方向と同じ方向に傾斜する截頭円錐形状であって、パッキン押え部材を頂部に当接させた状態で、このパッキン押え部材で外周側取付基部をケース側パッキン嵌合部に押し込み係止するようにしたことを特徴とするものである。
【００１９】
かかる構成により、台座部の頂部は、ケースの中心側に向って傾斜する円錐面にしてあり、パッキン押え部材は頂部の傾斜方向と同じ方向に傾斜していて、パッキン押え部材を頂部に当接させた状態で、このパッキン押え部材でシール用パッキンの外周側取付基部をケース側パッキン嵌合部に押し込み係止するようになるために、パッキン押え部材が外周側取付基部に接触した際に、この外周側取付基部がケースの中心側に寄るのを防止することができて、この外周側取付基部のケースへの係止を確実に行うことができる。しかも、パッキン押え部材は、頂部の傾斜方向と同じ方向に傾斜する截頭円錐形状にしてあるために、剛性の高いものになって、外周側取付基部の押えを確実に行うことができる。
【００２０】
また、本発明に係る押釦スイッチは、上記した本発明に係る押釦スイッチにおいて、押釦部は、操作プランジャに連結され且つスイッチ部が有する照光灯からの光を反射する反射プランジャと、この反射プランジャに保持され且つ光を拡散する拡散プレートと、この拡散プレートに着脱可能に設けられた彫刻プレートと、この彫刻プレートを覆うようにして反射プランジャに被せられたキャップとで構成してあることを特徴とするものである。
【００２１】
かかる構成により、照光式の押釦スイッチにおいても、シール用パッキンのスイッチ操作部及びケースへの取付けを確実なものにすることができるために、このシール用パッキンによるシ−ル性及びシール用パッキンの寿命を向上させると共に、照光式の押釦スイッチの長期の使用が可能になる。
【発明の効果】
【００２２】
本発明に係る押釦スイッチによれば、シール用パッキンの内周側取付基部をプランジャ側パッキン嵌合部と押釦側パッキン嵌合部で挟持し、また、外周側取付基部をケース側パッキン嵌合部に嵌め込んだ状態で、パッキン押え部材係合部にパッキン押え部材を係合して、このパッキン押え部材で外周側取付基部をケース側パッキン嵌合部に押し込み係止したことにより、シール用パッキンのスイッチ操作部及びケースへの取付けを確実なものにすることができる。このために、このシール用パッキンによるシ−ル性及びシール用パッキンの寿命を向上させると共に、押釦スイッチの長期の使用が可能になる。
【発明を実施するための最良の形態】
【００２３】
以下、本発明の実施の形態を、図面を参照して詳述する。
【００２４】
本発明の実施例を図１乃至図４に示す。図１は本発明の押釦スイッチの一実施例を示す要部断面図、図２は図１のＡ部の拡大図、図３はパッキン押え部材の斜視図、図４は本発明に係る押釦スイッチにおいて押釦部を操作したときの縦断面図である。
【００２５】
本発明の押釦スイッチは、スイッチ部１と、このスイッチ部１を操作するスイッチ操作部２とから構成してある。
【００２６】
スイッチ部１は、スイッチカバー１Ａと、このスイッチカバー１Ａの図１において上面部に設けられた可動子（図示せず）と、この上面部に配置された照光灯１Ｂと、スイッチカバー１Ａ内に収容された接点機構（図示せず）とを備えており、スイッチカバー１Ａは、図１において前、後面部の中央部に係止突起１Ｃを有している。また、接点機構は、復帰ばねのばね力に抗しての可動子の押し込みにより接点（図示せず）を閉じ、また、可動子の押し込みの解除により復帰ばねのばね力で可動子を持ち上げ、接点を開離するものであって、スイッチ操作部２のバックスプリング機能も備えている。
【００２７】
スイッチ操作部２は、ケース３と、スイッチ操作部２の操作により上記した可動子を作動させて接点機構の接点開閉を行う操作プランジャ１１と、この操作プランジャ１１に固着された押釦部１２と、防塵防水シール部２３とを備えている。
【００２８】
ケース３は、円筒状の押釦収容部４と、この押釦収容部４より小径の円筒状の取付部５とを有していて、取付部５の外周部にはねじ部５Ａが形成してあり、また、取付部５の端部には一対の係止脚部６が突設してあり、これらの係止脚部６には係止孔部６Ａが設けてある。
【００２９】
そして、押釦収容部４の底面部７の内周縁部には、図１に示すように、ケース３の中心イを中心とした円錐面部８、パッキン押え部材係合部９及びケース側パッキン嵌合部１０が同心的に形成してある。すなわち、図２に示すように、パッキン押え部材係合部９は円錐面部８より一段低くしてあって、パッキン押え部材係合部９は、円錐面部８に連なる周壁部９Ａと、この周壁部９Ａとは凹溝部９Ｂを隔てた台座部９Ｃとを有していて、この台座部９Ｃの頂部９Ｄは、ケース３の中心イ側に向って傾斜する円錐面にしてある。また、ケース側パッキン嵌合部１０は、台座部９Ｃの内周面部に連なる周面部１０Ａと、頂部９Ｄとは逆傾斜の円錐面部１０Ｂとで形成されるＶ型溝部で構成してある。
【００３０】
操作プランジャ１１は円筒形状のプランジャ本体１１Ａを有しており、このプランジャ本体１１Ａの外周部にはプランジャ側パッキン嵌合部１７とシール用パッキン受け部１８とが形成してあり、このプランジャ側パッキン嵌合部１７は、プランジャ本体１１Ａの外周部に周方向に凹溝部１７Ａを形成して構成してある。また、シール用パッキン受け部１８は、プランジャ本体１１Ａの薄肉部１１Ｂと厚肉部１１Ｃとの段部１１Ｄで構成してある。
【００３１】
押釦部１２は、反射プランジャ１３と、拡散プレート１４と、彫刻プレート１５と、キャップ１６とで構成してある。
【００３２】
反射プランジャ１３は、円筒形状の嵌合部１９と、この嵌合部１９の端部に連なる漏斗状の反射部２０と、この反射部２０の端部に連なる円筒形状の保持部２１とで構成してあり、嵌合部１９の内周部には、その端側に位置させて凹溝部からなる押釦側パッキン嵌合部２２が形成してある。
【００３３】
そして、反射プランジャ１３の保持部２１には拡散プレート１４が載置され（溶着或いは接着等により固着する場合もある）、拡散プレート１４には彫刻プレート１５が着脱可能に嵌めてあり、さらには、彫刻プレート１５を覆うようにして保持部２１にはキャップ１６が被せてある。
【００３４】
防塵防水シール部２３は、可撓性のシール用パッキン２４とパッキン押え部材２５とで構成してある。このシール用パッキン２４はダイヤフラムパッキンで構成してあって、円筒形状で可撓性のパッキン本体２４Ａを備えており、このパッキン本体２４Ａの内周端部には、パッキン本体２４Ａの主部の肉厚より厚い内周側取付基部２６が形成してあり、パッキン本体２４Ａの外周端部には、やはり主部の肉厚より厚い外周側取付基部２７が形成してある。
【００３５】
パッキン押え部材２５は、図３に示すように、金属製のリングであって、逆截頭円錐形状の部材本体２５Ａを備えており、この部材本体２５Ａの内周縁部２５ａは真円であり、外周縁部２５ｂは多角形にしてあって、多数のエッジ部２８が形成してある。
【００３６】
そして、プランジャ側パッキン嵌合部１７の凹溝部１７Ａにシール用パッキン２４の内周側取付基部２６を嵌めた状態で、反射プランジャ１３の嵌合部１９を操作プランジャ１１の端部に嵌合することで、シール用パッキン２４の内周側取付基部２６の凹溝部１７Ａよりはみ出している部分を押釦側パッキン嵌合部２２に嵌め込んで、プランジャ側パッキン嵌合部１７と押釦側パッキン嵌合部２２とでシール用パッキン２４の内周側取付基部２６を押し潰す状態で挟持している。
【００３７】
そして、ケース３は、その一対の係止脚部６をスイッチ部１のスイッチカバー１Ａの前、後面部に沿わせて、これらの前、後面部に設けた係止突起１Ｃを係止孔部６Ａに係止することでスイッチ部１に取付けてあり、また、ケース３内には操作プランジャ１１が挿入してあり、この操作プランジャ１１内には照光灯１Ｂが挿入してある。この場合、操作プランジャ１１の端部がスイッチ部１の可動子に接触している。
【００３８】
そして、シール用パッキン２４の外周側取付基部２７をケース３のケース側パッキン嵌合部１０に嵌め込んだ状態で、パッキン押え部材受け部９にパッキン押え部材２５を押し込み、このパッキン押え部材２５の多数のエッジ部２８を周壁部９Ａに食い込ませることで、パッキン押え部材２５を台座部９Ｃに当接させてパッキン押え部材受け部９に固定してあり、パッキン押え部材２５のほぼ全周でシール用パッキン２４の外周側取付基部２７をケース側パッキン嵌合部１０に均等に押し付けて、この外周側取付基部２７がケース３に取付けてある。
【００３９】
この場合、シール用パッキン２４は、ケース３と操作プランジャ１１とに跨っており、その断面形状が逆Ｕ字形になって、その端部はシール用パッキン受け部１８に受けられており、ケース３の押釦収容部４の内周面と押釦部１２のキャップ１６の周面部との間の隙間Ｓからケース３内に侵入した塵埃や水（油）が操作プランジャ１１とケース３の取付部５との間からスイッチ部１側に入るのを防止している。
【００４０】
上記のように構成された押釦スイッチは、図１に示すように、ケース３の取付部５のねじ部５Ａに設けた取付リング２９を締付けることで、パッキン２９Ａと回り止め金具２９Ｂとで操作パネルＰを挟み付けて、この操作パネルＰに取付けてある。
【００４１】
そして、スイッチ部１のスイッチ動作は、押釦部１２を手動操作することにより、操作プランジャ１１が往復動作し可動子を介してスイッチ部１の接点機構の接点を開閉するようにして行われる。
【００４２】
押釦部１２を操作したとき、図４に示すように、シール用パッキン２５は図４において下方向に弾性変形して撓み、押釦部１２の押し込み解除によって再び図１に示す元の位置に戻る。
【００４３】
上記したように、本発明の実施例によれば、シール用パッキン２４の内周側取付基部２６をプランジャ側パッキン嵌合部１７と押釦側パッキン嵌合部２２で挟持し、また、シール用パッキン２４の外周側取付基部２７をケース側パッキン嵌合部１０に嵌め込んだ状態で、パッキン押え部材係合部９にパッキン押え部材２５を係合して、このパッキン押え部材２５のほぼ全周で外周側取付基部２７をケース側パッキン嵌合部１０に均等に押し込み係止したことにより、シール用パッキン２４のスイッチ操作部１１及びケース３への取付けを確実なものにすることができるために、このシール用パッキン２１によるシ−ル性及びシール用パッキン２１の寿命を向上させると共に、押釦スイッチの長期の使用が可能になる。
【００４４】
また、本発明の実施例によれば、パッキン押え部材２５は、その外周縁部の多数のエッジ部２８をパッキン押え部材係合部９の周壁部９Ａに食い込ませることでパッキン押え部材２５をパッキン押え部材係合部９に係合させることができて、パッキン押え部材２２によるシール用パッキン２４の外周側取付基部２７のケース側パッキン嵌合部１０への押し込み係止を確実にすることができる。
【００４５】
また、本発明の実施例によれば、パッキン押え部材係合部９の台座部９Ｃの頂部９Ｄは、ケース３の中心イ側に向って傾斜する円錐面にしてあり、パッキン押え部材２５は頂部９Ｄの傾斜方向と同じ方向に傾斜していて、パッキン押え部材２５を頂部９Ｄに当接させた状態で、このパッキン押え部材２５でシール用パッキン２４の外周側取付基部２７をケース側パッキン嵌合部１０に押し込み係止するようになるために、パッキン押え部材２５が外周側取付基部２７に接触した際に、この外周側取付基部２７がケース３の中心イ側に寄るのを防止することができて、この外周側取付基部２７のケース３への係止を確実に行うことができる。しかも、パッキン押え部材２５は、頂部９Ｄの傾斜方向と同じ方向に傾斜する截頭円錐形状にしてあるために、剛性の高いものになって、シール用パッキン２４の外周側取付基部２７の押えを確実に行うことができる。
【産業上の利用可能性】
【００４６】
本発明に係る押釦スイッチによれば、シール用パッキンの内周側取付基部をプランジャ側パッキン嵌合部と押釦側パッキン嵌合部で挟持し、また、シール用パッキンの外周側取付基部をケース側パッキン嵌合部に嵌め込んだ状態で、パッキン押え部材係合部にパッキン押え部材を係合して、このパッキン押え部材で外周側取付基部をケース側パッキン嵌合部に押し込み係止したことにより、シール用パッキンのスイッチ操作部及びケースへの取付けを確実なものにすることができるために、このシール用パッキンによるシ−ル性及びシール用パッキンの寿命を向上させると共に、押釦スイッチの長期の使用が可能になるという効果を有しており、制御ボックス等のパネルに取付けて使用される照光式押釦スイッチ等として好適な防塵、防水性能を有する押釦スイッチに有用である。
【図面の簡単な説明】
【００４７】
【図１】本発明に係る押釦スイッチの一実施例を示す要部断面図である。
【図２】図１のＡ部の拡大図である。
【図３】パッキン押え部材の斜視図である。
【図４】本発明に係る押釦スイッチにおいて押釦部を操作したときの縦断面図である。
【図５】従来の押釦スイッチの縦断面図である。
【図６】従来の他の押釦スイッチの縦断面図である。
【図７】図６のＢ部の拡大図である。
【符号の説明】
【００４８】
１      スイッチ部
１Ａ    スイッチカバー
１Ｂ    照光灯
２      スイッチ操作部
３      ケース
４      押釦収容部
５      取付部
６      係止脚部
９      パッキン押え部材係合部
９Ａ    周壁部
９Ｂ    凹溝部
９Ｃ    台座部
９Ｄ    頂部
１０    ケース側パッキン嵌合部
１０Ａ  周面部
１０Ｂ  円錐面部
１１    操作プランジャ
１１Ａ  プランジャ本体
１２    押釦部
１３    反射プランジャ
１４    拡散プレート
１５    彫刻プレート
１６    キャップ
１７    プランジャ側パッキン嵌合部
１８    シール用パッキン受け部
２２    押釦側パッキン嵌合部
２３    防塵防水シール部
２４    シール用パッキン
２５    パッキン押え部材
２６    内周側取付基部
２７    外周側取付基部
２８    エッジ部
【図１】
2005347067.tif 000003
【図２】
2005347067.tif 000004
【図３】
2005347067.tif 000005
【図４】
2005347067.tif 000006
【図５】
2005347067.tif 000007
【図６】
2005347067.tif 000008
【図７】
2005347067.tif 000009